(57)【要約】【課題】従来と比較して迅速にサムネイル画像等を再生する。【解決手段】  画像とこの画像に対する属性情報とを含む少なくとも一つの画像ファイルを格納する画像ファイル記憶手段と、前記画像ファイルの格納場所を特定するための画像ファイル特定情報と、前記画像のサムネイル画像を特定するためのサムネイル画像特定情報と、を含む属性情報ファイルを格納する属性情報ファイル記憶手段と、を備えることを特徴とする画像処理装置。【選択図】  図４
2008011194.tif 000002
【特許請求の範囲】
【請求項１】
画像とこの画像に対する属性情報とを含む少なくとも一つの画像ファイルを格納する画像ファイル記憶手段と、
前記画像ファイルの格納場所を特定するための画像ファイル特定情報と、前記画像のサムネイル画像を特定するためのサムネイル画像特定情報と、を含む属性情報ファイルを格納する属性情報ファイル記憶手段と、
を備えることを特徴とする画像処理装置。
【請求項２】
前記サムネイル画像を含む少なくとも一つのサムネイル画像ファイルを格納するサムネイル画像ファイル記憶手段をさらに備え、
前記サムネイル画像特定情報は、前記サムネイル画像ファイルの格納場所を特定する情報であることを特徴とする請求項１に記載の画像処理装置。
【請求項３】
前記サムネイル画像ファイルに含まれるサムネイル画像はサムネイル画像が表示されるディスプレイサイズにあわせて予めリサイズされていることを特徴とする請求項１又は２に記載の画像処理装置。
【請求項４】
前記サムネイル画像特定情報は、前記サムネイル画像の前記画像ファイル中の位置を特定する情報であることを特徴とする請求項１に記載の画像処理装置。
【請求項５】
前記属性情報ファイルを更新する更新手段をさらに備えることを特徴とする請求項１から４のいずれかに記載の画像処理装置。
【請求項６】
前記更新手段は、撮影後に新たに生成された該撮影された画像を含む画像ファイルに基づいて前記属性情報ファイルを更新することを特徴とする請求項５に記載の画像処理装置。
【請求項７】
所定画像に対してトリミング処理を実行するトリミング処理手段をさらに備え、
前記更新手段は、前記トリミング処理された所定画像を含む画像ファイルに基づいて前記属性情報ファイルを更新することを特徴とする請求項５に記載の画像処理装置。
【請求項８】
画像ファイルの削除を指示する削除指示手段をさらに備え、
前記更新手段は、前記削除指示手段により削除が指示された場合、前記属性情報ファイルを更新することを特徴とする請求項５に記載の画像処理装置。
【請求項９】
記録メディアの着脱を検出する検出手段をさらに備え、
前記更新手段は、前記検出手段により記録メディアの着脱が検出された場合、前記属性情報ファイルを更新することを特徴とする請求項５に記載の画像処理装置。
【請求項１０】
サムネイル画像の再生を指示するサムネイル画像再生指示手段と、
前記サムネイル画像再生指示手段によりサムネイル画像の再生が指示された場合、前記属性情報ファイルに含まれるサムネイル画像特定情報により特定されるサムネイル画像を再生するサムネイル画像再生手段と、
をさらに備えることを特徴とする請求項１から９のいずれかに記載の画像処理装置。
【請求項１１】
前記サムネイル画像再生手段により再生されたサムネイル画像を選択させる選択手段と、
前記選択手段によりサムネイル画像が選択された場合、前記属性情報ファイルに含まれる画像ファイル特定情報により特定される画像ファイルを再生する画像再生手段と、
をさらに備えることを特徴とする請求項１０に記載の画像処理装置。
【請求項１２】
画像とこの画像に対する属性情報とを含む少なくとも一つの画像ファイルを格納する画像ファイル記憶手段と、
前記画像から該画像の一部を抽出する画像抽出手段と、
前記画像ファイルの格納場所を特定するための画像ファイル特定情報と、前記画像抽出手段により抽出された画像を特定するための抽出画像特定情報と、を含む属性情報ファイルを格納する属性情報ファイル記憶手段と、
を備えることを特徴とする画像処理装置。
【請求項１３】
前記抽出画像を含む少なくとも一つの抽出画像ファイルを格納する抽出画像ファイル記憶手段をさらに備え、
前記抽出画像特定情報は、前記抽出画像ファイルの格納場所を特定する情報であることを特徴とする請求項１２に記載の画像処理装置。
【請求項１４】
前記抽出画像特定情報は、前記抽出画像の前記画像中の位置を特定する情報であることを特徴とする請求項１２又は１３に記載の画像処理装置。
【請求項１５】
抽出画像の再生を指示する抽出画像再生指示手段と、
前記抽出画像再生指示手段により抽出画像の再生が指示された場合、前記属性情報ファイルに含まれる抽出画像特定情報により特定される抽出画像を再生する抽出画像再生手段と、
をさらに備えることを特徴とする請求項１２から１４のいずれかに記載の画像処理装置。
【請求項１６】
前記抽出画像再生手段により再生された抽出画像を選択させる選択手段と、
前記選択手段により抽出画像が選択された場合、前記属性情報ファイルに含まれる画像ファイル特定情報により特定される画像ファイルを再生する画像再生手段と、
をさらに備えることを特徴とする請求項１５に記載の画像処理装置。
【請求項１７】
前記画像抽出手段により前記画像から抽出される画像の一部は、人物の顔を含む領域であることを特徴とする請求項１２から１６のいずれかに記載の画像処理装置。
【請求項１８】
前記属性ファイルは、機器内部の着脱不能な不揮性メモリに格納されることを特徴とする請求項１から１７のいずれかに記載の画像処理装置。
【発明の詳細な説明】
【技術分野】
【０００１】
本発明は、画像処理装置に係り、特に従来と比較して迅速にサムネイル画像等を再生することができる画像処理装置に関する。
【背景技術】
【０００２】
従来、画像データを記録するための規格として、Ｅｘｉｆ(Exchangeable image file format)が知られている。Ｅｘｉｆとは、データ互換性（メーカや機種が異なってもデータ利用できる）、再現性（より正しくきれいに再生、出力する）等の観点より、デジタルカメラ等の撮影装置で撮影された画像とこの画像に対する付属情報（撮影日時、シャッタースピード、レンズ絞り値、圧縮モード、色空間情報、画素数、メーカ独自情報（メーカーノート）等）とを一つのファイルとして記録するためのフォーマットを定めたものである。Ｅｘｉｆでは、ＪＰＥＧ（ＩＳＯ／ＩＥＣ１０９１８−１）にアプリケーションマーカセグメント（ＡＰＰ１）を挿入記録しており、ＡＰＰ１には、画像の付属情報として撮影情報やサムネイル画像を記録することが可能となっている（特許文献１参照）。
【０００３】
その他、本発明に関連があると思われるものとして、画像データを保存する際に、画像データの詳細な属性情報を付加できる画像入力装置に関するものがある（特許文献２）。
【特許文献１】特開２００４−１２００６９号公報
【特許文献２】特開２００５−２３６４３２号公報
【発明の開示】
【発明が解決しようとする課題】
【０００４】
しかしながら、サムネイル画像の再生（表示）に際しては、その都度、各画像ファイルを解析してサムネイル画像を読み出さねばならず、しかも、一般に、Ｅｘｉｆで記録されるサムネイル画像のサイズは定められている（１６０×１２０ドット）から、その読み出したサムネイル画像をデジタルカメラ等のディスプレイサイズにあわせて適正サイズにリサイズしなければならない。すなわち、サムネイル画像の再生に際しては、各画像ファイルの解析やリサイズに相当の時間を要するので、迅速にサムネイル画像を再生できないという問題があった。
【０００５】
本発明は、このような事情に鑑みてなされたものであり、従来と比較して迅速にサムネイル画像等を再生することを目的とする。
【課題を解決するための手段】
【０００６】
請求項１に記載の発明は、画像とこの画像に対する属性情報とを含む少なくとも一つの画像ファイルを格納する画像ファイル記憶手段と、前記画像ファイルの格納場所を特定するための画像ファイル特定情報と、前記画像のサムネイル画像を特定するためのサムネイル画像特定情報と、を含む属性情報ファイルを格納する属性情報ファイル記憶手段と、を備えることを特徴とする。
【０００７】
請求項１に記載の発明によれば、画像ファイルとは別に、サムネイル画像特定情報を含む属性情報ファイルを備えているので、サムネイル画像の再生に際しては、属性情報ファイルを参照することにより、サムネイル画像特定情報により特定されるサムネイル画像を極めて迅速に表示することが可能となる。また、操作性も向上する。
【０００８】
請求項２に記載の発明は、請求項１に記載の発明において、前記サムネイル画像を含む少なくとも一つのサムネイル画像ファイルを格納するサムネイル画像ファイル記憶手段をさらに備え、前記サムネイル画像特定情報は、前記サムネイル画像ファイルの格納場所を特定する情報であることを特徴とする。
【０００９】
請求項２に記載の発明によれば、画像ファイルとは別に、サムネイル画像を含むサムネイル画像ファイルを備えているので、サムネイル画像の再生に際しては、従来の画像ファイル解析プロセスを省略することが可能となる。すなわち、サムネイル画像の再生に際しては、属性ファイルを参照することにより、サムネイル画像特定情報により特定されるサムネイル画像を極めて迅速に表示することが可能となる。また、操作性も向上する。
【００１０】
請求項３に記載の発明は、請求項１又は２に記載の発明において、前記サムネイル画像ファイルに含まれるサムネイル画像はサムネイル画像が表示されるディスプレイサイズにあわせて予めリサイズされていることを特徴とする。
【００１１】
請求項３に記載の発明によれば、サムネイル画像ファイルに含まれるサムネイル画像を、サムネイル画像が表示されるディスプレイサイズにあわせて予めリサイズしておくことで、サムネイル画像の再生に際しては、従来のリサイズプロセスを省略することが可能となる。すなわち、サムネイル画像の再生に際しては、属性ファイルを参照することにより、サムネイル画像特定情報により特定される予めリサイズされたサムネイル画像を極めて迅速に表示することが可能となる。また、操作性も向上する。
【００１２】
請求項４に記載の発明は、請求項１に記載の発明において、前記サムネイル画像特定情報は、前記サムネイル画像の前記画像ファイル中の位置を特定する情報であることを特徴とする。
【００１３】
請求項４に記載の発明によれば、サムネイル画像の再生に際しては、属性ファイルを参照することにより、サムネイル画像特定情報により特定されるサムネイル画像を極めて迅速に表示することが可能となる。また、操作性も向上する。
【００１４】
請求項５に記載の発明は、請求項１から４のいずれかに記載の発明において、前記属性情報ファイルを更新する更新手段をさらに備えることを特徴とする。
【００１５】
請求項５に記載の発明によれば、属性情報ファイルを更新することが可能となる。
【００１６】
請求項６に記載の発明は、請求項５に記載の発明において、前記更新手段は、撮影後に新たに生成された該撮影された画像を含む画像ファイルに基づいて前記属性情報ファイルを更新することを特徴とする。
【００１７】
請求項６に記載の発明によれば、撮影動作をきっかけとして、属性情報ファイルを自動更新することが可能となる。
【００１８】
請求項７に記載の発明は、請求項５に記載の発明において、所定画像に対してトリミング処理を実行するトリミング処理手段をさらに備え、前記更新手段は、前記トリミング処理された所定画像を含む画像ファイルに基づいて前記属性情報ファイルを更新することを特徴とする。
【００１９】
請求項７に記載の発明によれば、トリミング処理をきっかけとして、属性情報ファイルを自動更新することが可能となる。
【００２０】
請求項８に記載の発明は、請求項５に記載の発明において、画像ファイルの削除を指示する削除指示手段をさらに備え、前記更新手段は、前記削除指示手段により削除が指示された場合、前記属性情報ファイルを更新することを特徴とする。
【００２１】
請求項８に記載の発明によれば、画像ファイルの削除をきっかけとして、属性情報ファイルを自動更新することが可能となる。
【００２２】
請求項９に記載の発明は、請求項５に記載の発明において、記録メディアの着脱を検出する検出手段をさらに備え、前記更新手段は、前記検出手段により記録メディアの着脱が検出された場合、前記属性情報ファイルを更新することを特徴とする。
【００２３】
請求項９に記載の発明によれば、記録メディアの装着をきっかけとして、属性情報ファイルを自動生成することが可能となる。
【００２４】
請求項１０に記載の発明は、請求項１から９のいずれかに記載の発明において、サムネイル画像の再生を指示するサムネイル画像再生指示手段と、前記サムネイル画像再生指示手段によりサムネイル画像の再生が指示された場合、前記属性情報ファイルに含まれるサムネイル画像特定情報により特定されるサムネイル画像を再生するサムネイル画像再生手段と、をさらに備えることを特徴とする。
【００２５】
請求項１０に記載の発明によれば、属性情報ファイルを参照することにより、サムネイル画像特定情報により特定されるサムネイル画像を極めて迅速に表示することが可能となる。また、操作性も向上する。
【００２６】
請求項１１に記載の発明は、請求項１０に記載の発明において、前記サムネイル画像再生手段により再生されたサムネイル画像を選択させる選択手段と、前記選択手段によりサムネイル画像が選択された場合、前記属性情報ファイルに含まれる画像ファイル特定情報により特定される画像ファイルを再生する画像再生手段と、をさらに備えることを特徴とする。
【００２７】
請求項１１に記載の発明によれば、選択手段により選択されたサムネイル画像のもとの画像を再生（拡大表示）することが可能となる。
【００２８】
請求項１２に記載の発明は、画像とこの画像に対する属性情報とを含む少なくとも一つの画像ファイルを格納する画像ファイル記憶手段と、前記画像から該画像の一部を抽出する画像抽出手段と、前記画像ファイルの格納場所を特定するための画像ファイル特定情報と、前記画像抽出手段により抽出された画像を特定するための抽出画像特定情報と、を含む属性情報ファイルを格納する属性情報ファイル記憶手段と、を備えることを特徴とする。
【００２９】
請求項１２に記載の発明によれば、画像ファイルとは別に、抽出画像特定情報を含む属性情報ファイルを備えているので、抽出画像の再生に際しては、属性情報ファイルを参照することにより、抽出画像特定情報により特定される抽出画像を極めて迅速に表示することが可能となる。また、操作性も向上する。
【００３０】
請求項１３に記載の発明は、請求項１２に記載の発明において、前記抽出画像を含む少なくとも一つの抽出画像ファイルを格納する抽出画像ファイル記憶手段をさらに備え、前記抽出画像特定情報は、前記抽出画像ファイルの格納場所を特定する情報であることを特徴とする。
【００３１】
請求項１３に記載の発明によれば、画像ファイルとは別に、抽出画像を含む抽出画像ファイルを備えているので、抽出画像の再生に際しては、属性ファイルを参照することにより、抽出画像特定情報により特定される抽出画像を極めて迅速に表示することが可能となる。また、操作性も向上する。
【００３２】
請求項１４に記載の発明は、請求項１２又は１３に記載の発明において、前記抽出画像特定情報は、前記抽出画像の前記画像中の位置を特定する情報であることを特徴とする。
【００３３】
請求項１４に記載の発明によれば、抽出画像特定情報は、前記抽出画像の前記画像中の位置を特定する情報であるので、抽出画像表示のために別途抽出画像ファイルを備えなくてもよいから、メモリを節約できる。
【００３４】
請求項１５に記載の発明は、請求項１２から１４のいずれかに記載の発明において、抽出画像の再生を指示する抽出画像再生指示手段と、前記抽出画像再生指示手段により抽出画像の再生が指示された場合、前記属性情報ファイルに含まれる抽出画像特定情報により特定される抽出画像を再生する抽出画像再生手段と、をさらに備えることを特徴とする。
【００３５】
請求項１５に記載の発明によれば、属性情報ファイルを参照することにより、抽出画像特定情報により特定される抽出画像を極めて迅速に表示することが可能となる。また、操作性も向上する。
【００３６】
請求項１６に記載の発明は、請求項１５に記載の発明において、前記抽出画像再生手段により再生された抽出画像を選択させる選択手段と、前記選択手段により抽出画像が選択された場合、前記属性情報ファイルに含まれる画像ファイル特定情報により特定される画像ファイルを再生する画像再生手段と、をさらに備えることを特徴とする。
【００３７】
請求項１６に記載の発明によれば、選択手段により選択された抽出画像のもとの画像を再生（拡大表示）することが可能となる。
【００３８】
請求項１７に記載の発明は、請求項１２から１６のいずれかに記載の発明において、前記画像抽出手段により前記画像から抽出される画像の一部は、人物の顔を含む画像であることを特徴とする。
【００３９】
請求項１７に記載の発明によれば、人物の顔を含む画像を目印とできるから、目的画像の検索が容易となる。
【００４０】
請求項１８に記載の発明は、請求項１から１７のいずれかに記載の発明において、前記属性ファイルは、機器内部の着脱不能な不揮性メモリに格納されることを特徴とする。
【００４１】
請求項１８に記載の発明によれば、記録メディアが取り外された際にも、ユーザーによって属性情報ファイルが書き換えられたり、ユーザーの記憶に無いファイルが存在することによるユーザーの困惑を防止することが可能となる。
【発明の効果】
【００４２】
本発明によれば、従来と比較して迅速にサムネイル画像等を再生することが可能となる。
【発明を実施するための最良の形態】
【００４３】
以下、本発明の一実施形態であるデジタルカメラの構成について図面を参照しながら説明する。
【００４４】
図１は、本発明の一実施形態であるデジタルカメラのハード構成を説明するためのブロック図である。
【００４５】
デジタルカメラ１０は、静止画や動画の記録及び再生機能を備えており、その全体の動作は中央処理装置（ＣＰＵ）１１によって統括制御される。ＣＰＵ１１は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００４６】
バス１２を介してＣＰＵ１１と接続されたＲＯＭ等（図示せず）には、ＣＰＵ１１が実行するプログラム及び制御に必要な各種データ等や、ＣＣＤ画素欠陥情報、カメラ動作に関する各種定数／情報等が格納されている。
【００４７】
また、プログラムの展開領域及びＣＰＵ１１の演算作業用領域として利用されるとともに、画像データや音声データの一時記憶領域として利用されるメモリ２５、２６も備えている。ＶＲＡＭ１３は画像データ専用の一時記憶メモリである。
【００４８】
カメラ１０にはモード選択スイッチ、撮影ボタン、その他、メニュー／ＯＫキー、十字キー、キャンセルキーなどの操作キー１４が設けられている。各操作キー１４からの信号はＣＰＵ１１に入力され、ＣＰＵ１１は入力信号に基づいてカメラ１０の各回路を制御し、例えば、レンズ駆動制御、撮影動作制御、画像処理制御、画像データの記録／再生制御、液晶ディスプレイ等の表示パネル１５の表示制御などを行う。
【００４９】
モード選択スイッチは、撮影モードと再生モードとを切り換えるための操作手段である。モード選択スイッチの操作により、撮影モードあるいは記録済みの画像を再生する再生モードが選択される。
【００５０】
撮影ボタンは、撮影開始の指示を入力する操作ボタンであり、半押し時にＯＮするＳ１スイッチと、全押し時にＯＮするＳ２スイッチとを有する二段ストローク式のスイッチで構成されている。
【００５１】
メニュー／ＯＫキーは、表示パネル１５の表示面にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生時の再生ズームスイッチとして機能し、左／右キーは再生モード時のコマ送り（順方向／逆方向送り）ボタンとして機能する。キャンセルキーは、選択項目など所望の対象の消去や指示内容の取消し、あるいは１つ前の操作状態に戻らせる時などに使用される。
【００５２】
表示パネル１５は、カラー表示可能な液晶ディスプレイで構成されている。表示パネル１５は、撮影時に画角確認用の電子ファインダとして使用できるとともに、記録済み画像を再生表示する手段として利用される。また、表示パネル１５は、ユーザインターフェース用表示画面としても利用され、必要に応じてメニュー情報や選択項目、設定内容などの情報が表示される。液晶ディスプレイに代えて、有機ＥＬなど他の方式の表示装置（表示手段）を用いることも可能である。
【００５３】
デジタルカメラ１０は、メディアソケット（図示せず）を有し、メディアソケットには記録メディア１６を装着することができる。記録メディア１６の形態は特に限定されず、xD-PictureCard（商標）、スマートメディア（商標）に代表される半導体メモリカード、可搬型小型ハードディスク、磁気ディスク、光ディスク、光磁気ディスクなど、種々の媒体を用いることができる。
【００５４】
メディアコントローラ１７は、メディアソケットに装着される記録メディア１６に適した入出力信号の受渡しを行うために所要の信号変換を行う。
【００５５】
また、カメラ１０はパソコンその他の外部機器と接続するための通信手段としてＵＳＢインターフェース部を備えていることもある。図示せぬＵＳＢケーブルを用いてカメラ１０と外部機器を接続することにより、外部機器との間でデータの受渡しが可能となる。もちろん、通信方式はＵＳＢに限らず、IEEE1394やBluetooth その他の通信方式を適用してもよい。
【００５６】
次に、デジタルカメラ１０の撮影機能について説明する。
【００５７】
モード選択スイッチによって撮影モードが選択されると、カラーＣＣＤ固体撮像素子（以下ＣＣＤと記載）１８を含む撮像部に電源が供給され、撮影可能な状態になる。
【００５８】
レンズユニット（図示せず）は、フォーカスレンズを含む撮影レンズと絞り兼用メカシャッターとを含む光学ユニットである。レンズユニットは、ＣＰＵ１１によって制御されるモータドライバ１９、ズームアイリスフォーカス機能２０等によって電動駆動され、ズーム制御、フォーカス制御及びアイリス制御が行われる。
【００５９】
レンズユニットを通過した光は、ＣＣＤ１８の受光面に結像される。ＣＣＤ１８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ１８は、各フォトダイオードの電荷蓄積時間（シャッタースピード）を制御する電子シャッター機能を有している。ＣＰＵ１１は、タイミングジェネレータ２１を介してＣＣＤ１８での電荷蓄積時間を制御する。なお、ＣＣＤ１８に代えてＣＭＯＳ型など他の方式の撮像素子を用いてもよい。
【００６０】
ＣＣＤ１８の受光面に結像された被写体像は、各フォトダイオードによって入射光量に応じた量の信号電荷に変換される。各フォトダイオードに蓄積された信号電荷は、ＣＰＵ１１の指令に従いタイミングジェネレータ２１から与えられる駆動パルスに基づいて信号電荷に応じた電圧信号（画像信号）として順次読み出される。
【００６１】
ＣＣＤ１８から出力された信号はアナログ処理部（ＣＤＳ／ＡＭＰ）２２に送られ、ここで画素ごとのＲ，Ｇ，Ｂ信号がサンプリングホールド（相関二重サンプリング処理）され、増幅された後、Ａ／Ｄ変換器２３に加えられる。Ａ／Ｄ変換器２３によってデジタル信号に変換された点順次のＲ，Ｇ，Ｂ信号は、画像入力コントローラ２４を介してメモリ２５、２６等に記憶される。
【００６２】
画像信号処理回路２７は、メモリ２５、２６等に記憶されたＲ，Ｇ，Ｂ信号をＣＰＵ１１の指令に従って処理する。即ち、画像信号処理回路２７は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１からのコマンドに従ってメモリ２５、２６等を活用しながら所定の信号処理を行う。
【００６３】
画像信号処理回路２７に入力されたＲＧＢの画像データは、画像信号処理回路２７において輝度信号（Ｙ信号）及び色差信号（Ｃr,Ｃb 信号）に変換されるとともに、ガンマ補正等の所定の処理が施される。画像信号処理回路２７で処理された画像データはＶＲＡＭ１３に格納される。
【００６４】
撮影画像を表示パネル１５の表示面に表示する場合、ＶＲＡＭ１３から画像データが読み出され、バス１２を介してビデオエンコーダ２８に送られる。ビデオエンコーダ２８は、入力された画像データを表示用の所定方式の信号（例えば、ＮＴＳＣ方式のカラー複合映像信号）に変換して表示パネル１５に出力する。
【００６５】
ＣＣＤ１８から出力される画像信号によって、１コマ分の画像を表す画像データがＶＲＡＭ１３の二つの領域間で交互に書き換えられる。ＶＲＡＭ１３の各領域のうち、画像データが書き換えられている方の領域以外の領域から、書き込まれている画像データが読み出される。このようにしてＶＲＡＭ１３内の画像データが定期的に書き換えられ、その画像データから生成される映像信号が表示パネル１５に供給されることにより、撮像中の映像がリアルタイムに表示パネル１５に表示される。撮影者は、表示パネル１５に表示される映像（スルー画像）によって撮影画角等を確認できる。
【００６６】
撮影ボタンが半押しされ、Ｓ１がオンすると、カメラ１０はＡＥ及びＡＦ処理を開始する。すなわち、ＣＣＤ１８から出力された画像信号はＡ／Ｄ変換後に画像入力コントローラ２４を介してＡＦ検出回路２９並びにＡＥ検出回路３０に入力される。
【００６７】
ＡＥ検出回路３０は、１画面を複数のエリア（例えば、１６×１６）に分割し、分割エリアごとにＲＧＢ信号を積算する回路を含み、その積算値をＣＰＵ１１に提供する。ＣＰＵ１１は、ＡＥ検出回路３０から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１はＣＣＤ１８の電子シャッター及びアイリスを制御して適正な露光量を得る。
【００６８】
また、ＡＥ検出回路３０は、自動ホワイトバランス調整時には、分割エリアごとにＲＧＢ信号の色別の平均積算値を算出し、その算出結果をＣＰＵ１１に提供する。ＣＰＵ１１は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００６９】
デジタルカメラ１０におけるＡＦ制御は、例えば映像信号のＧ信号の高周波成分が極大になるようにフォーカシングレンズ（撮影レンズを構成するレンズ光学系のうちフォーカス調整に寄与する移動レンズ）を移動させるコントラストＡＦが適用される。即ち、ＡＦ検出回路２９は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００７０】
ＡＦ検出回路２９で求めた積算値のデータはＣＰＵ１１に通知される。ＣＰＵ１１は、モータドライバ１９やズームアイリスフォーカス２０等を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにモータドライバ１９やズームアイリスフォーカス２０等を制御する。なお、ＡＦ評価値の演算はＧ信号を利用する態様に限らず、輝度信号（Ｙ信号）を利用してもよい。
【００７１】
撮影ボタンが半押しされ、Ｓ１オンによってＡＥ／ＡＦ処理が行われ、撮影ボタンが全押しされ、Ｓ２オンによって記録用の撮影動作がスタートする。Ｓ２オンに応動して取得された画像データは画像信号処理回路２７において輝度／色差信号（Ｙ／Ｃ信号）に変換され、ガンマ補正等の所定の処理が施された後、メモリ２５、２６等に格納される。
【００７２】
メモリ２５、２６等に格納されたＹ／Ｃ信号は、圧縮処理回路３１によって所定のフォーマットに従って圧縮された後、メディアコントローラ１７を介して記録メディアに記録される。例えば、静止画についてはJPEG（Joint Photographic Experts Group）形式で記録される。
【００７３】
モード選択スイッチにより再生モードが選択されると、記録メディアに記録されている最終の画像ファイル（最後に記録されたファイル）の圧縮データが読み出される。最後の記録に係るファイルが静止画ファイルの場合、この読み出された画像圧縮データは、圧縮処理回路３１を介して非圧縮のＹＣ信号に伸張され、画像信号処理回路２７及びビデオエンコーダ２８を介して表示用の信号に変換された後、表示パネル１５に出力される。これにより、当該ファイルの画像内容が表示パネル１５の画面上に表示される。
【００７４】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが記録メディアから読み出され、上記と同様にして静止画像や動画が表示パネル１５の表示面に再生表示される。
【００７５】
〔第１実施形態〕
次に、上記構成のデジタルカメラ１０で用いられる属性情報ファイルについて説明する。  図２は、属性情報ファイルの例を示している。本実施形態では、図３に示すように、各画像ファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）により管理されている。なお、属性ファイルは基本的には一つを想定しているが、複数設けてもよい。
【００７６】
図３中、DSCF0001jpg、DSCF0002jpgはＥｘｉｆ−ＪＰＥＧの画像ファイル（以下主画像ファイルともいう）である。THUMB0001jpg、THUMB0002jpgは、それぞれDSCF0001jpg、DSCF0002jpgに関連しており、その関連する主画像ファイルのサムネイル画像を含む画像ファイル（以下サムネイル画像ファイルともいう）である。なお、サムネイル画像ファイルのサムネイル画像は、後述のように、主画像ファイルに含まれているサムネイル画像をデジタルカメラ１０のディスプレイ（図示せず）サイズにあわせて予めリサイズしたものである（または、新たに生成したものでもよい）。
【００７７】
属性情報ファイルは属性情報を含む。図２では、タグ<FileInfo>とタグ</FileInfo>で挟まれた部分が一つのファイルの属性情報を表している。
【００７８】
属性情報としては、ファイル名、主画像ファイルの格納場所を特定する情報（いわゆるファイルパス）、サムネイル画像ファイルの格納場所を特定する情報（いわゆるファイルパス）、画像サイズ、ファイルの種類、プロテクションステータス、ファイル識別子等がある。
【００７９】
図２では、タグ<Name>とタグ</Name>で挟まれた部分がファイル名（例えばDSCF0001jpg）を、タグ<Filename>と</Filename>で挟まれた部分が主画像ファイルの格納場所を特定する情報（例えば\DCIM\100_FUJI\DSCF0001jpg）を、タグ<ThumbName>と</ThumbName>とで挟まれた部分がサムネイル画像ファイルの格納場所を特定する情報（例えば\Thumb\THUMB0001jpg）を、タグ<Size>とタグ</Size>で挟まれた部分が画像サイズを、タグ<ObjectFormat>とタグ</ObjectFormat>で挟まれた部分がファイルの種類を、タグ<ProtectionStatus>とタグ</ProtectionStatus>で挟まれた部分がプロテクションステータスを、タグ<FileID>とタグ</FileID>で挟まれた部分がファイル識別子を、それぞれ表している。
【００８０】
なお、本実施形態では、拡張性等の観点から、属性情報ファイルをマークアップ言語であるＸＭＬで記述しているが、ＣＳＶ等のようにＸＭＬ以外のテキスト形式あるいはバイナリ形式で記述するようにしてもよい。
【００８１】
次に、属性情報ファイルの更新処理について図４を参照しながら説明する。以下の処理は、ＣＰＵ１１等の制御部が、ＲＯＭ等からメモリ２５、２６等に読み込まれた所定プログラムを実行することにより実現される。
【００８２】
〔撮影時の属性情報ファイルの更新処理〕
デジタルカメラ１０による撮影を行うと（すなわち、レリーズボタンを押圧すると）、その撮影した画像（以下主画像ともいう）及び該主画像のサムネイル画像（例えば１６０×１２０ドットの定型）を含む主画像ファイル（例えばDSCF0003jpg）が生成され、図３に示すフォルダ100_FUJI配下に格納される。
【００８３】
この主画像ファイルからサムネイル画像を抽出する（ステップＳ１）。そして、この抽出されたサムネイル画像を、デジタルカメラ１０のディスプレイ（図示せず）サイズにあわせて予めリサイズし、このリサイズ後のサムネイル画像を含むサムネイル画像ファイル（例えばTHUMB0003jpg）を、図３に示すフォルダThumb配下に単体ファイルとして格納する。なお、主画像ファイル及びサムネイル画像ファイルそれぞれのファイル名はファイルシステム等により自動的に付与されるようになっている。
【００８４】
次に、属性情報ファイルを更新する（ステップＳ２）。すなわち、図２に示すように、先ほど格納された主画像ファイル（例えばDSCF0003jpg）の格納場所を特定する情報（例えば\DCIM\100_FUJI\DSCF0003jpg）やサムネイル画像ファイル（例えばTHUMB0003jpg）の格納場所を特定する情報（例えば\Thumb\THUMB0003jpg）等の属性情報を、属性情報ファイルに記録（追加記録）する。
【００８５】
主画像ファイルの格納場所を特定する情報（\DCIM\100_FUJI\DSCF0001jpg等）とサムネイル画像ファイルの格納場所を特定する情報（\Thumb\THUMB0001jpg等）とは、関連づけて記述する。
【００８６】
すなわち、図２に示すように、タグ<FileInfo>とタグ</FileInfo>で挟まれた部分に、主画像ファイルの格納場所を特定する情報（\DCIM\100_FUJI\DSCF0001jpg等）とサムネイル画像ファイルの格納場所を特定する情報（\Thumb\THUMB0001jpg等）とを隣接させて記述する。
【００８７】
これにより、属性情報ファイルを参照することにより、主画像ファイルとサムネイル画像ファイル相互間の表示切り替えをスムースに行うことが可能となる。なお、主画像ファイルの格納場所を特定する情報（\DCIM\100_FUJI\DSCF0001jpg等）とサムネイル画像ファイルの格納場所を特定する情報（\Thumb\THUMB0001jpg等）等については、ファイルシステム等から、あるいは、主画像ファイルを解析することにより、取得することが可能である。
【００８８】
以上説明したように、撮影時の属性情報ファイルの更新処理によれば、撮影動作をきっかけとして、属性情報ファイルを自動更新することが可能となる。
【００８９】
〔トリミング処理時の属性情報ファイルの更新処理〕
次に、トリミング処理時の属性情報ファイルの更新処理について、図４を参照しながら説明する。
【００９０】
図２に示すように、記録メディア１６に格納された属性情報ファイルに合計四つの属性情報が記述されている場合に、操作キー１４等を介して四つ目の主画像ファイル（例えばDSCF0002jpg）に対するトリミング処理が実行されたとする。すると、トリミング処理後の主画像及び該主画像のサムネイル画像（例えば１６０×１２０ドット）を含む主画像ファイルが生成され、図３に示すフォルダ100_FUJI配下に格納される。この場合、もとの主画像ファイル（例えばDSCF0002jpg）に上書き格納してもよいし、新たな主画像ファイルとして格納してもよい。
【００９１】
このトリミング処理後の主画像ファイルからサムネイル画像を抽出する（ステップＳ１）。そして、この抽出されたサムネイル画像を、デジタルカメラ１０のディスプレイ（図示せず）にあわせて予めリサイズし、このリサイズ後のサムネイル画像を含むサムネイル画像ファイル（例えばTHUMB0002jpg）を、図３に示すフォルダThumb配下に単体ファイルとして格納する。この場合も、もとの画像ファイル（例えばTHUMB0002jpg）に上書き格納してもよいし、新たな画像ファイルとして格納してもよい。
【００９２】
次に、属性情報ファイルを更新する（ステップＳ２）。すなわち、トリミング処理により画像サイズが変更されるので、トリミング処理された画像の属性情報（タグ<Size>とタグ</Size>で挟まれた部分）をトリミング処理後の画像サイズに書き換える。なお、属性情報ファイルにおける書き換え箇所がどこであるかは、ファイル名とタグ<Size></Size>等に基づいて判別することが可能である。なお、画像サイズ以外の属性情報については、トリミング処理前の元の画像ファイルの情報をそのまま利用することが可能である。
【００９３】
以上説明したように、トリミング処理時の属性情報ファイルの更新処理によれば、トリミング処理をきっかけとして、属性情報ファイルを自動更新することが可能となる。
【００９４】
〔削除時の属性情報ファイルの更新処理〕
次に、削除時の属性情報ファイルの更新処理について、図４を参照しながら説明する。
【００９５】
図２に示すように、記録メディア１６に記録された属性情報ファイルに合計四つの属性情報が記述されている場合に、操作キー１４等を介して四つ目の主画像ファイル（DSCF0002jpg）に対する削除が指示されたとする。すると、その削除が指示された主画像ファイル（DSCF0002jpg）及びこの主画像ファイルに関連するサムネイル画像ファイル（THUMB0002jpg）が削除される。上述のように、属性情報ファイルには、主画像ファイルの格納場所を特定する情報（\DCIM\100_FUJI\DSCF0001jpg等）とサムネイル画像ファイルの格納場所を特定する情報（\Thumb\THUMB0001jpg等）とが関連づけて記述されている。従って、属性情報ファイルを参照することで、削除が指示された主画像ファイルに関連するサムネイル画像ファイルを把握し削除することが可能となっている。
【００９６】
また、その削除が指示された画像ファイルの属性情報（タグ<FileInfo>とタグ</FileInfo>で挟まれた部分）が属性情報ファイルから削除される。なお、属性情報ファイルにおける削除箇所がどこであるかは、ファイル名とタグ<FileInfo></FileInfo>等に基づいて判別することが可能である。
【００９７】
以上説明したように、削除時の属性情報ファイルの更新処理によれば、画像ファイルの削除をきっかけとして、属性情報ファイルを自動更新することが可能となる。
【００９８】
〔不揮発性メモリ装着時の属性情報ファイルの生成処理〕
次に、不揮発性メモリ装着時の属性情報ファイルの生成処理について、図５を参照しながら説明する。
【００９９】
なお、本処理を行うために、デジタルカメラ１０は、図１に示した構成に加えてさらに、バックアップ電源３３を利用して記録メディア１６の装着の有無を検出する機能、記録メディア１６の装着が検出された場合にオンされるメディア装着フラグ（図示せず）を備えている。これにより、デジタルカメラ１０の主電源スイッチがオフの間に記録メディア１６が装着されたことを検出可能となっている。
【０１００】
デジタルカメラ１０の主電源がオンされると、メディア装着フラグのオンオフがチェックされ、該フラグがオンであれば図５に示す処理を開始する。
【０１０１】
すなわち、メディア装着フラグがオンということは、デジタルカメラ１０に記録メディア１６が装着されているということなので、記録メディア１６に格納（記録）されている全ての主画像ファイルについて、主画像ファイルごとに、画像データに関する情報を解析し（ステップＳ１０）、主画像ファイルからサムネイル画像を抽出（ステップＳ１１）する（ステップＳ１２）。そして、この抽出されたサムネイル画像を、デジタルカメラ１０のディスプレイ（図示せず）サイズにあわせて予めリサイズし、このリサイズ後のサムネイル画像を含むサムネイル画像ファイル（例えばTHUMB0003jpg）を、図３に示すフォルダThumb配下に単体ファイルとして格納する。なお、ファイル名はファイルシステム等により自動的に付与されるようになっている。
【０１０２】
記録メディア１６に格納（記録）されている全ての主画像ファイルについて、ステップＳ１０〜Ｓ１２の処理が完了すると（ステップＳ１２：ＹＥＳ）、属性情報ファイルを作成する（ステップＳ１３）。すなわち、記録メディア１６に格納（記録）されている全ての主画像ファイルについて、主画像ファイルの格納場所を特定する情報（\DCIM\100_FUJI\DSCF0003jpg等）やサムネイル画像ファイルの格納場所を特定する情報（\Thumb\THUMB0003jpg等）等の属性情報を記述した属性情報ファイルを作成する。
【０１０３】
主画像ファイルの格納場所を特定する情報（\DCIM\100_FUJI\DSCF0001jpg等）とサムネイル画像ファイルの格納場所を特定する情報（\Thumb\THUMB0001jpg等）とは、関連づけて記述する。
【０１０４】
すなわち、図２に示すように、主画像ファイルの格納場所を特定する情報（\DCIM\100_FUJI\DSCF0001jpg等）とサムネイル画像ファイルの格納場所を特定する情報（\Thumb\THUMB0001jpg等）とは、タグ<FileInfo>とタグ</FileInfo>で挟まれた部分に隣接させて記述する。
【０１０５】
これにより、属性情報ファイルを参照することにより、主画像ファイルとサムネイル画像ファイル相互間の表示切り替えをスムースに行うことが可能となる。なお、主画像ファイルの格納場所を特定する情報（\DCIM\100_FUJI\DSCF0001jpg等）とサムネイル画像ファイルの格納場所を特定する情報（\Thumb\THUMB0001jpg等）等については、ファイルシステム等から、あるいは、主画像ファイルを解析することにより、取得することが可能である。
【０１０６】
以上説明したように、不揮発性メモリ装着時の属性情報ファイルの生成処理によれば、記録メディア１６の装着をきっかけとして、属性情報ファイルを自動生成することが可能となる。
【０１０７】
〔属性情報ファイルに基づく表示処理〕
次に、サムネイル画像等を表示する処理について、図６を参照しながら説明する。
【０１０８】
例えば、操作キー１４等を介してサムネイル画像の再生が指示されたとする。すると、属性情報ファイルが読み込まれ（ステップＳ２０）、すなわち属性情報ファイルが参照され、属性情報ファイルからサムネイル画像ファイルの格納場所を特定する情報（\Thumb\THUMB0001jpg等）が検索される。これにより、その検索されたサムネイル画像ファイルの格納場所を特定する情報（\Thumb\THUMB0001jpg等）により特定される所定数のサムネイル画像を、極めて迅速に表示することが可能となる（ステップＳ２１）。例えば、所定数のサムネイル画像を、予め定められた形式で（例えば縦三×横三で）デジタルカメラ１０のディスプレイ（図示せず）に極めて迅速に再生（表示）することが可能となる。
【０１０９】
次に、操作キー１４等を介して表示されているサムネイル画像のうち特定のサムネイル画像が選択される等して、特定のサムネイル画像の拡大が指示されたとする。すると、属性情報ファイルから、その選択されたサムネイル画像の主画像を含む主画像ファイルの格納場所を特定する情報（\DCIM\100_FUJI\DSCF0001jpg等）を検索し、その検索された主画像ファイルの格納場所を特定する情報（\DCIM\100_FUJI\DSCF0001jpg等）により特定される主画像ファイルを読み込む（ステップＳ２２）。そして、その主画像を所定の形式で（例えば一部を拡大して）デジタルカメラ１０のディスプレイ（図示せず）に表示する（ステップＳ２３）。
【０１１０】
上述のように、属性情報ファイルには、主画像ファイルの格納場所を特定する情報（\DCIM\100_FUJI\DSCF0001jpg等）とサムネイル画像ファイルの格納場所を特定する情報（\Thumb\THUMB0001jpg等）とが関連づけて記述されている。従って、属性情報ファイルを参照することで、上記選択されたサムネイル画像に関連する主画像ファイルの格納場所を特定する情報を把握しその主画像ファイルの格納場所を特定する情報により特定される主画像を再生（拡大表示）することが可能となっている。
【０１１１】
以上説明したように、本実施形態では、主画像ファイルとは別に、サムネイル画像ファイルを備えているので、サムネイル画像の再生に際しては、従来の画像ファイル解析プロセスを省略することが可能となる。すなわち、サムネイル画像の再生に際しては、属性ファイルを参照することにより、サムネイル画像特定情報により特定されるサムネイル画像を極めて迅速に表示することが可能となる。また、操作性も向上する。
【０１１２】
また、本実施形態では、サムネイル画像ファイルに含まれるサムネイル画像は、サムネイル画像が表示されるディスプレイにあわせて予めリサイズされているので、サムネイル画像の再生に際しては、従来のリサイズプロセスを省略することが可能となる。すなわち、サムネイル画像の再生に際しては、属性ファイルを参照することにより、サムネイル画像特定情報により特定される予めリサイズされたサムネイル画像を極めて迅速に表示することが可能となる。また、操作性も向上する。
【０１１３】
〔変形例〕
次に、第１実施形態の変形例について説明する。
【０１１４】
第１実施形態では、予めリサイズされたサムネイル画像を単体ファイルとして格納し、そのサムネイル画像ファイルの格納場所を特定する情報（\Thumb\THUMB0001jpg等）を属性ファイルに記述するように説明したが、本発明はこれに限定されない。例えば、主画像ファイルがサムネイル画像を含んでいる場合には、サムネイル画像の主画像ファイル中の開始位置を特定する情報（開始アドレス等）やサイズを属性ファイルに記述するようにしてもよい。
【０１１５】
このようにすれば、サムネイル画像の再生に際しては、属性ファイルを参照することにより、サムネイル画像特定情報により特定されるサムネイル画像を極めて迅速に表示することが可能となる。また、操作性も向上する。
【０１１６】
〔第２実施形態〕
次に、上記構成のデジタルカメラ１０で用いられる属性情報ファイルの他の例について説明する。図７は、属性情報ファイルの例を示している。本実施形態では、図８に示すように、各画像ファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）により管理されている。なお、属性ファイルは基本的には一つを想定しているが、複数設けてもよい。
【０１１７】
図８中、DSCF0001jpg、DSCF0002jpgはＥｘｉｆ−ＪＰＥＧの画像ファイル（以下主画像ファイルともいう）である。FACE0001jpg、FACE0002jpgは、それぞれDSCF0001jpg、DSCF0002jpgに関連しており、その関連する主画像ファイルの主画像（又はサムネイル画像）から抽出された画像の一部（本発明の抽出画像に相当。本実施形態では人物の顔を含む画像。以下顔画像ともいう）を含む画像ファイル（以下顔画像ファイルともいう）である。この顔画像は、デジタルカメラ１０のディスプレイ（図示せず）サイズにあわせて予めリサイズしてもよいし、しなくてもよい。
【０１１８】
属性情報ファイルは属性情報を含む。図７では、タグ<FileInfo>とタグ</FileInfo>で挟まれた部分が一つのファイルの属性情報を表している。
【０１１９】
属性情報としては、ファイル名、主画像ファイルの格納場所を特定する情報（いわゆるファイルパス）、顔画像ファイルの格納場所を特定する情報（いわゆるファイルパス）、画像サイズ、ファイルの種類、プロテクションステータス、ファイル識別子等がある。
【０１２０】
図７では、タグ<Name>とタグ</Name>で挟まれた部分がファイル名（例えばDSCF0001jpg）を、タグ<Filename>と</Filename>で挟まれた部分が主画像ファイルの格納場所を特定する情報（例えば\DCIM\100_FUJI\DSCF0001jpg）を、タグ<FaceName>と</FaceName>とで挟まれた部分が顔画像ファイルの格納場所を特定する情報（例えば\Face\FACE0001jpg）を、タグ<Size>とタグ</Size>で挟まれた部分が画像サイズを、タグ<ObjectFormat>とタグ</ObjectFormat>で挟まれた部分がファイルの種類を、タグ<ProtectionStatus>とタグ</ProtectionStatus>で挟まれた部分がプロテクションステータスを、タグ<FileID>とタグ</FileID>で挟まれた部分がファイル識別子を、それぞれ表している。
【０１２１】
なお、本実施形態では、拡張性等の観点から、属性情報ファイルをマークアップ言語であるＸＭＬで記述しているが、ＣＳＶ等のようにＸＭＬ以外のテキスト形式あるいはバイナリ形式で記述するようにしてもよい。
【０１２２】
次に、属性情報ファイルの更新処理について図９を参照しながら説明する。以下の処理は、ＣＰＵ１１等の制御部が、ＲＯＭ等からメモリ２５、２６等に読み込まれた所定プログラムを実行することにより実現される。
【０１２３】
〔撮影時の属性情報ファイルの更新処理〕
デジタルカメラ１０による撮影を行うと（すなわち、レリーズボタンを押圧すると）、その撮影した画像（以下主画像ともいう）及び該主画像のサムネイル画像（例えば１６０×１２０ドットの定型）を含む主画像ファイル（例えばDSCF0003jpg）が生成され、図８に示すフォルダ100_FUJI配下に格納される。次に、公知の顔認識処理を実行することにより、この画像ファイル（主画像又はサムネイル画像）から顔画像を抽出する（ステップＳ３０）。
【０１２４】
例えば、図１０に示すように、撮影した画像が一人の人物を含んでいれば、顔認識処理の実行により、該人物の顔を含む領域が顔画像として抽出される。あるいは、図１１に示すように、撮影した画像が複数の人物を含んでいれば、顔認識処理の実行により、該個々の人物の顔を含む領域がそれぞれ顔画像として抽出される。そして、この抽出された顔画像を、必要があればデジタルカメラ１０のディスプレイ（図示せず）サイズにあわせて予めリサイズし（またはリサイズすることなく）、その顔画像を含む顔画像ファイル（例えばFACE0003jpg）を、図８に示すフォルダFace配下に単体ファイルとして格納する。なお、主画像ファイル及び顔画像ファイルそれぞれのファイル名はファイルシステム等により自動的に付与されるようになっている。
【０１２５】
次に、属性情報ファイルを更新する（ステップＳ３１）。すなわち、図７に示すように、先ほど格納された主画像ファイル（例えばDSCF0003jpg）の格納場所を特定する情報（例えば\DCIM\100_FUJI\DSCF0003jpg）や顔画像ファイル（例えばFACE0003jpg）の格納場所を特定する情報（例えば\Face\ FACE0003jpg）等の属性情報を、属性情報ファイルに記録（追加記録）する。
【０１２６】
主画像ファイルの格納場所を特定する情報（\DCIM\100_FUJI\DSCF0003jpg等）と顔画像ファイルの格納場所を特定する情報（\Face\ FACE0003jpg等）とは、関連づけて記述する。
【０１２７】
すなわち、図７に示すように、タグ<FileInfo>とタグ</FileInfo>で挟まれた部分に、主画像ファイルの格納場所を特定する情報（\DCIM\100_FUJI\DSCF0003jpg等）と顔画像ファイルの格納場所を特定する情報（\Face\ FACE0003jpg等）とを隣接させて記述する。
【０１２８】
これにより、属性情報ファイルを参照することにより、主画像ファイルと顔画像ファイル相互間の表示切り替えをスムースに行うことが可能となる。なお、主画像ファイルの格納場所を特定する情報（\DCIM\100_FUJI\DSCF0003jpg等）とサムネイル画像ファイルの格納場所を特定する情報（\Face\ FACE0003jpg等）等については、ファイルシステム等から、あるいは、主画像ファイルを解析することにより、取得することが可能である。
【０１２９】
以上説明したように、撮影時の属性情報ファイルの更新処理によれば、撮影動作をきっかけとして、属性情報ファイルを自動更新することが可能となる。
【０１３０】
〔トリミング処理時の属性情報ファイルの更新処理〕
次に、トリミング処理時の属性情報ファイルの更新処理について、図１２を参照しながら説明する。
【０１３１】
図７に示すように、記録メディア１６に格納された属性情報ファイルに合計四つの属性情報が記述されている場合に、操作キー１４等を介して四つ目の主画像ファイル（例えばDSCF0002jpg）に対するトリミング処理が実行されたとする。すると、トリミング処理後の主画像及び該主画像のサムネイル画像（例えば１６０×１２０ドット）を含む主画像ファイルが生成され、図８に示すフォルダ100_FUJI配下に格納される。この場合、もとの主画像ファイル（例えばDSCF0002jpg）に上書き格納してもよいし、新たな主画像ファイルとして格納してもよい。
【０１３２】
次に、公知の顔認識処理を実行することにより、このトリミング処理後の画像ファイル（主画像又はサムネイル画像）から顔画像を抽出する（ステップＳ４０）。そして、この抽出した顔画像を、必要があればデジタルカメラ１０のディスプレイ（図示せず）にあわせて予めリサイズし（またはリサイズすることなく）、その顔画像を含む顔画像ファイル（例えばFACE0002jpg）を、図８に示すフォルダFace配下に単体ファイルとして格納する。この場合も、もとの画像ファイル（例えばFACE0002jpg）に上書き格納してもよいし、新たな画像ファイルとして格納してもよい。
【０１３３】
次に、属性情報ファイルを更新する（ステップＳ４１）。すなわち、トリミング処理により画像サイズが変更されるので、トリミング処理された画像の属性情報（タグ<Size>とタグ</Size>で挟まれた部分）をトリミング処理後の画像サイズに書き換える。なお、属性情報ファイルにおける書き換え箇所がどこであるかは、ファイル名とタグ<Size></Size>等に基づいて判別することが可能である。なお、画像サイズ以外の属性情報については、トリミング処理前の元の画像ファイルの情報をそのまま利用することが可能である。
【０１３４】
以上説明したように、トリミング処理時の属性情報ファイルの更新処理によれば、トリミング処理をきっかけとして、属性情報ファイルを自動更新することが可能となる。
【０１３５】
〔削除時の属性情報ファイルの更新処理〕
次に、削除時の属性情報ファイルの更新処理について、図１２を参照しながら説明する。
【０１３６】
図７に示すように、記録メディア１６に記録された属性情報ファイルに合計四つの属性情報が記述されている場合に、操作キー１４等を介して四つ目の画像ファイル（DSCF0002jpg）に対する削除が指示されたとする。すると、その削除が指示された主画像ファイル（DSCF0002jpg）及びこの主画像ファイルに関連する顔画像ファイル（FACE0002jpg）が削除される。上述のように、属性情報ファイルには、主画像ファイルの格納場所を特定する情報（\DCIM\100_FUJI\DSCF0001jpg等）とサムネイル画像ファイルの格納場所を特定する情報（\Face\ FACE0003jpg等）とが関連づけて記述されている。従って、属性情報ファイルを参照することで、削除が指示された主画像ファイルに関連する顔画像ファイルを把握し削除することが可能となっている。
【０１３７】
また、その削除が指示された画像ファイルの属性情報（タグ<FileInfo>とタグ</FileInfo>で挟まれた部分）が属性情報ファイルから削除される。なお、属性情報ファイルにおける削除箇所がどこであるかは、ファイル名とタグ<FileInfo></FileInfo>等に基づいて判別することが可能である。
【０１３８】
以上説明したように、削除時の属性情報ファイルの更新処理によれば、画像ファイルの削除をきっかけとして、属性情報ファイルを自動更新することが可能となる。
【０１３９】
〔不揮発性メモリ装着時の属性情報ファイルの生成処理〕
次に、不揮発性メモリ装着時の属性情報ファイルの生成処理について、図１３を参照しながら説明する。
【０１４０】
なお、本処理を行うために、デジタルカメラ１０は、図１に示した構成に加えてさらに、バックアップ電源３３を利用して記録メディア１６の装着の有無を検出する機能、記録メディア１６の装着が検出された場合にオンされるメディア装着フラグ（図示せず）を備えている。これにより、デジタルカメラ１０の主電源スイッチがオフの間に記録メディア１６が装着されたことを検出可能となっている。
【０１４１】
デジタルカメラ１０の主電源がオンされると、メディア装着フラグのオンオフがチェックされ、該フラグがオンであれば図１３に示す処理を開始する。
【０１４２】
すなわち、メディア装着フラグがオンということは、デジタルカメラ１０に記録メディア１６が装着されているということなので、該記録メディア１６に格納（記録）されている全ての主画像ファイルについて、主画像ファイルごとに、画像データに関する情報を解析し（ステップＳ５０）、公知の顔認識処理を実行することにより、主画像ファイルから顔画像を抽出（ステップＳ５１）する（ステップＳ５２）。そして、この抽出された顔画像を、必要があればデジタルカメラ１０のディスプレイ（図示せず）サイズにあわせて予めリサイズし（または、リサイズすることなく）、その顔画像を含む顔画像ファイル（例えばFACE0003jpg）を、図８に示すフォルダFace配下に単体ファイルとして格納する。なお、ファイル名はファイルシステム等により自動的に付与されるようになっている。
【０１４３】
記録メディア１６に格納（記録）されている全ての主画像ファイルについて、ステップＳ５０〜Ｓ５２の処理が完了すると（ステップＳ５２：ＹＥＳ）、属性情報ファイルを作成する（ステップＳ５３）。すなわち、記録メディア１６に格納（記録）されている全ての主画像ファイルについて、主画像ファイルの格納場所を特定する情報（\DCIM\100_FUJI\DSCF0003jpg等）やその撮影した画像の顔画像ファイルの格納場所を特定する情報（\Face\FACE0003jpg等）等の属性情報を記述した属性情報ファイルを作成する。
【０１４４】
主画像ファイルの格納場所を特定する情報（\DCIM\100_FUJI\DSCF0003jpg等）と顔画像ファイルの格納場所を特定する情報（\Face\FACE0003jpg等）とは、関連づけて記述する。
【０１４５】
すなわち、図７に示すように、主画像ファイルの格納場所を特定する情報（\DCIM\100_FUJI\DSCF0003jpg等）とサムネイル画像ファイルの格納場所を特定する情報（\Face\FACE0003jpg等）とは、タグ<FileInfo>とタグ</FileInfo>で挟まれた部分に隣接させて記述する。
【０１４６】
これにより、属性情報ファイルを参照することにより、主画像ファイルとサムネイル画像ファイル相互間の表示切り替えをスムースに行うことが可能となる。なお、主画像ファイルの格納場所を特定する情報（\DCIM\100_FUJI\DSCF0003jpg等）とサムネイル画像ファイルの格納場所を特定する情報（\Face\FACE0003jpg等）等については、ファイルシステム等から、あるいは、主画像ファイルを解析することにより、取得することが可能である。
【０１４７】
以上説明したように、不揮発性メモリ装着時の属性情報ファイルの生成処理によれば、記録メディア１６の装着をきっかけとして、属性情報ファイルを自動生成することが可能となる。
【０１４８】
〔属性情報ファイルに基づく表示処理〕
次に、顔画像等を表示する処理について、図１４を参照しながら説明する。
【０１４９】
例えば、操作キー１４等を介して顔画像の再生が指示されたとする。すると、属性情報ファイルが読み込まれ（ステップＳ６０）、すなわち属性情報ファイルが参照され、属性情報ファイルから顔画像ファイルの格納場所を特定する情報（\Face\FACE0001jpg等）が検索される。これにより、その検索された顔画像ファイルの格納場所を特定する情報（\Face\FACE0001jpg等）により特定される所定数の顔画像を、極めて迅速に表示することが可能となる（ステップＳ６１）。例えば、所定数の顔画像を、予め定められた形式で（例えば縦三×横三で）デジタルカメラ１０のディスプレイ（図示せず）に極めて迅速に再生（表示）することが可能となる。
【０１５０】
次に、操作キー１４等を介して表示されている顔画像のうち特定の顔画像が選択される等して、特定の顔画像の画像全体表示が指示されたとする（ステップＳ６２：ＹＥＳ）。すると、属性情報ファイルから、その選択された顔画像の主画像を含む主画像ファイルの格納場所を特定する情報（\DCIM\100_FUJI\DSCF0001jpg等）を検索し、その検索された主画像ファイルの格納場所を特定する情報（\DCIM\100_FUJI\DSCF0001jpg等）により特定される主画像を、所定の形式でデジタルカメラ１０のディスプレイ（図示せず）に表示する（ステップＳ６３）。
【０１５１】
上述のように、属性情報ファイルには、主画像ファイルの格納場所を特定する情報（\DCIM\100_FUJI\DSCF0001jpg等）と顔画像ファイルの格納場所を特定する情報（\Face\FACE0001jpg等）とが関連づけて記述されている。従って、属性情報ファイルを参照することで、上記選択された顔画像に関連する主画像ファイルの格納場所を特定する情報を把握しその主画像ファイルの格納場所を特定する情報により特定される主画像を再生（全体表示）することが可能となっている。
【０１５２】
さらに、操作キー１４等を介して顔画像の再生が指示されたとすると（ステップＳ６４）、上記ステップＳ６０〜Ｓ６４の処理を繰り返す。そして、再生終了指示があれば、本処理を終了する。
【０１５３】
以上説明したように、本実施形態では、主画像ファイルとは別に、顔画像特定情報を含む属性情報ファイルを備えているので、顔画像の再生に際しては、属性情報ファイルを参照することにより、顔画像特定情報により特定される顔画像を極めて迅速に表示することが可能となる。また、操作性も向上する。
【０１５４】
しかも、顔画像をサムネイル画像のような形態で（例えば縦三×横三で）表示するようにすれば、顔画像を目印として目的の全体画像を容易に探し出すことが可能となる。また、操作性も向上する。
【０１５５】
〔変形例〕
次に、第２実施形態の変形例について説明する。
【０１５６】
第２実施形態では、主画像ファイル（主画像又はサムネイル画像）から顔画像を抽出し（ステップＳ３０）、この抽出した顔画像を含む顔画像ファイルを単体ファイルとして格納し、その顔画像ファイルの格納場所を特定する情報を属性ファイルに記述するように説明したが、本発明はこれに限定されない。例えば、画像ファイル（主画像又はサムネイル画像）から顔画像を抽出し（ステップＳ３０）、その主画像（又はサムネイル画像）中の顔画像の位置を特定する情報を属性ファイルに記述するようにしてもよい。
【０１５７】
図１５では、タグ<FacePositionV>とタグ</FacePositionV>で挟まれた部分、及び、タグ<FacePositionH>とタグ</FacePositionH>で挟まれた部分が、主画像（又はサムネイル画像）中の顔画像の位置を特定する情報（例えば1000,1200）を表している。
【０１５８】
このようにすれば、顔画像ファイルを備えなくてもよいから、メモリを節約できる。
【０１５９】
また、第２実施形態では、主画像ファイルの主画像（又はサムネイル画像）から抽出される画像の一部は人物の顔を含む画像であるように説明したが、本発明はこれに限定されない。例えば、人物の顔以外の、主画像に含まれる特徴的な対象、例えば、看板等の文字を含む部分、建造物、車両、動物その他の対象を画像ファイル（主画像又はサムネイル画像）から抽出し、これを単体ファイルとして格納し、その画像ファイルの格納場所を特定する情報を属性ファイルに記述するようにしてもよい。要は、主画像ファイルの主画像（又はサムネイル画像）から抽出される画像の一部は、該一部の画像を目印として目的の全体画像を容易に探し出すことが可能となるものであれば、特に限定されない。
【０１６０】
このようにすれば、顔画像と同様、一部の画像を目印として目的の全体画像を容易に探し出すことが可能となる。
【０１６１】
また、第２実施形態では、公知の顔認識処理を実行することにより、画像ファイル（主画像又はサムネイル画像）から顔画像を抽出するように説明したが、本発明はこれに限定されない。例えば、ユーザー等に操作キー１４等を操作させ、これにより主画像の一部（領域）を指定させてその一部領域の画像を抽出するように構成してもよい。
【０１６２】
このようにすれば、ユーザーが任意に指定した領域を顔画像と同様に扱うことが可能となる。
【０１６３】
また、第１及び第２実施形態では、属性情報ファイルが着脱可能な記録メディア１６に記録されるように説明したが、本発明はこれに限定されない。例えば、図１６に示すように、デジタルカメラ内部に着脱不能なフラッシュメモリ等の不揮発性メモリ３２を設け、これに属性情報ファイルを格納するようにしてもよい（ステップＳ２、Ｓ１３、Ｓ３１、Ｓ４１、Ｓ５３）。
【０１６４】
このようにすれば、記録メディア１６が取り外された際にも、ユーザーによって属性情報ファイルが書き換えられたり、ユーザーの記憶に無いファイルが存在することによるユーザーの困惑を防止することが可能となる。なお、画像ファイルについては、記録メディア１６又は不揮発性メモリ３２のいずれに格納してもよい。
【０１６５】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【０１６６】
【図１】本発明の実施形態であるデジタルカメラのハード構成を説明するためのブロック図である。
【図２】属性情報ファイルの例である。
【図３】ディレクトリの構造を説明するための図である。
【図４】撮影時・トリミング時・削除時の属性情報ファイルの更新処理について説明するためのフローチャートである。
【図５】不揮発性メモリ装着時の属性情報ファイルの生成処理について説明するためのフローチャートである。
【図６（ａ）】サムネイル画像を表示する動作を説明するためのフローチャートである。
【図６（ｂ）】サムネイル画像を表示する動作を説明するためのフローチャートである。
【図７】属性情報ファイルの例である。
【図８】ディレクトリの構造を説明するための図である。
【図９】撮影時・トリミング時・削除時の属性情報ファイルの更新処理について説明するためのフローチャートである。
【図１０】顔画像の抽出領域の例である。
【図１１】顔画像の抽出領域の例である。
【図１２】撮影時・トリミング時・削除時の属性情報ファイルの更新処理について説明するためのフローチャートである。
【図１３】不揮発性メモリ装着時の属性情報ファイルの生成処理について説明するためのフローチャートである。
【図１４】顔画像を表示する動作を説明するためのフローチャートである。
【図１５】属性情報ファイルの例である。
【図１６】本発明の実施形態であるデジタルカメラのハード構成（変形例）を説明するためのブロック図である。
【符号の説明】
【０１６７】
１０…デジタルカメラ、１１…ＣＰＵ、１４…操作キー、１６…記録メディア、１８…カラーＣＣＤ固体撮像素子（ＣＣＤ）、２５、２６…メモリ、２７…画像信号処理回路
【図１】
2008011194.tif 000003
【図２】
2008011194.tif 000004
【図３】
2008011194.tif 000005
【図４】
2008011194.tif 000006
【図５】
2008011194.tif 000007
【図６（ａ）】
2008011194.tif 000008
【図６（ｂ）】
2008011194.tif 000009
【図７】
2008011194.tif 000010
【図８】
2008011194.tif 000011
【図９】
2008011194.tif 000012
【図１０】
2008011194.tif 000013
【図１１】
2008011194.tif 000014
【図１２】
2008011194.tif 000015
【図１３】
2008011194.tif 000016
【図１４】
2008011194.tif 000017
【図１５】
2008011194.tif 000018
【図１６】
2008011194.tif 000019